(57)【要約】【課題】導電性ハウジング構造体を備えた電子装置のような電子装置のための改善されたワイヤレス回路を提供する。【解決手段】電子装置は、アンテナを伴うワイヤレス回路を有する。所与のアンテナのためのアンテナ共振素子アームが、プラスチックキャリアに支持された金属構造体から形成される。アンテナ共振素子アームは、そのアンテナ共振素子アームが通信帯域での通信を取り扱うのに使用されないときにアンテナ共振素子アームを分離するためにスイッチング回路に結合される。スロットが、側壁部分のようなハウジングの周囲部分を平坦な後部から分離する。側壁部分及び平坦な後部は、所与のアンテナにより取り扱われる通信帯域以外の通信周波数で動作する付加的なアンテナを形成する。その付加的なアンテナの周波数応答を向上させるために寄生的アンテナ共振素子アームがスロットに形成される。【選択図】図６
2018088700.tif 000002
【特許請求の範囲】
【請求項１】
周囲導電性構造体を有するハウジングと、
前記周囲導電性構造体から形成された第１の共振素子アームを有し、前記ハウジングの少なくとも１つの縁に平行に延びるスロットで前記第１のアンテナ共振素子アームから分離されたアンテナ接地部を有し、且つ第１のアンテナフィードを有する第１のアンテナと、
第２の共振素子アーム及び前記アンテナ接地部から形成され、第２のアンテナフィードを有する第２のアンテナと、
前記第１のアンテナフィードに結合された第１の伝送線と、
スイッチング回路と、
前記スイッチング回路により前記第２のアンテナフィードに結合された第２の伝送線と、を備えた電子装置。
【請求項２】
前記第２の伝送線が前記スイッチング回路を経て前記第２のアンテナのためのアンテナ信号を送信及び受信する自由空間動作モードに前記スイッチング回路を入れるように構成された制御回路を更に備えた、請求項１に記載の電子装置。
【請求項３】
前記制御回路は、更に、前記第２のアンテナが前記第２の伝送線から電気的に分離される分離動作モードに前記スイッチング回路を入れるように構成された、請求項２に記載の電子装置。
【請求項４】
前記制御回路は、更に、前記アンテナがユーザにより把持されたときに望ましい周波数範囲での動作を保証するように同調される少なくとも１つの付加的な動作モードに前記スイッチング回路を入れるように構成された、請求項３に記載の電子装置。
【請求項５】
前記第２のアンテナは、更に、前記第２の共振素子アームをサポートするプラスチックキャリアを含む、請求項３に記載の電子装置。
【請求項６】
柔軟なプリント回路を更に備え、前記第２の伝送線は、その柔軟なプリント回路上の導電性の線を含む、請求項５に記載の電子装置。
【請求項７】
寄生的アンテナ共振素子を前記スロットに含む、請求項６に記載の電子装置。
【請求項８】
前記スイッチ回路は、前記柔軟なプリント回路にマウントされる、請求項７に記載の電子装置。
【請求項９】
前記第２のアンテナは、同調可能な逆Ｆ字アンテナを含む、請求項３に記載の電子装置。
【請求項１０】
前記第２のアンテナは、１４００ＭＨｚの周波数を含む周波数帯域で共振するように構成された、請求項９に記載の電子装置。
【請求項１１】
前記第１のアンテナフィードは、前記第１のアンテナ共振素子アームに結合された第１の正のアンテナフィード端子を有し、そして前記第２のアンテナフィードは、前記第２のアンテナ共振素子アームに結合された第２の正のアンテナフィード端子を有する、請求項１に記載の電子装置。
【請求項１２】
前記第２のアンテナ共振素子アームは、少なくとも４つのセグメント及び３つの直角屈曲部を有する、請求項１に記載の電子装置。
【請求項１３】
スロットを伴う金属ハウジングを備え、該スロットは、該金属ハウジングを、第１のアンテナ共振素子アーム及びアンテナ接地部を形成する周囲導電性ハウジング構造体へと分離し、前記第１のアンテナ共振素子アーム及びアンテナ接地部は、第１のアンテナを形成し、そして該第１のアンテナは、前記スロットにおける寄生的アンテナ共振素子アームを含み、更に、
スイッチング回路と、
前記スイッチング回路に結合された第２のアンテナであって、第２のアンテナ共振素子アーム及びアンテナ接地部を含む第２のアンテナと、
を備えた、電子装置。
【請求項１４】
トランシーバ回路、及びこのトランシーバ回路を前記スイッチング回路に結合する伝送線を更に備えた、請求項１３に記載の電子装置。
【請求項１５】
前記スイッチング回路が前記伝送線を前記第２のアンテナに結合する第１の状態、及び前記スイッチング回路が前記伝送線を前記第２のアンテナから分離する第２の状態のうちの選択された一方に前記スイッチング回路を入れるように前記スイッチング回路を調整する制御回路を更に備えた、請求項１４に記載の電子装置。
【請求項１６】
前記トランシーバ回路は、前記スイッチング回路が前記第２の状態にある間に前記第１のアンテナでアンテナ信号を送信及び受信するように構成された、請求項１５に記載の電子装置。
【請求項１７】
前記第２のアンテナ共振素子を支持するプラスチックキャリアを更に備えた、請求項１５に記載の電子装置。
【請求項１８】
前記第２のアンテナ共振素子アームは、１４００ＭＨｚの周波数を含む通信帯域で共振するように構成された、請求項１７に記載の電子装置。
【請求項１９】
電子装置の縁に沿って延びる側壁部分を有し且つ接地部の一部分を形成する平坦な後壁部分を有する金属ハウジングであって、その側壁部分及び平坦な後壁部分は、スロットで分離される金属ハウジングと、
プラスチックキャリア上の金属構造体から形成されるアンテナ共振素子アームと、
前記アンテナ共振素子アームに結合されたスイッチング回路と、
前記スイッチング回路によって前記アンテナ共振素子アームに結合されるトランシーバ回路と、
を備え、前記スイッチング回路は、そのスイッチング回路が前記トランシーバ回路を前記アンテナ共振素子アームに結合する第１モード、及びそのスイッチング回路が前記トランシーバ回路線を前記アンテナ共振素子アームから分離する第２モードにおいて動作できるようにされた、電子装置。
【請求項２０】
前記アンテナ共振素子アームは、通信帯域で動作するアンテナの一部分として働き、前記電子装置は、更に、前記スロットに寄生的アンテナ共振素子アームを備え、前記側壁部分、前記寄生的アンテナ共振素子アーム、及び前記接地部は、前記通信帯域以外の周波数で動作する付加的なアンテナを形成し、前記アンテナのアンテナ共振素子アームは、前記スイッチング回路が前記第２モードで動作する間に前記通信帯域以外の周波数において前記付加的なアンテナのための寄生的アンテナ共振素子として働く、請求項１９に記載の電子装置。
【発明の詳細な説明】
【技術分野】
【０００１】
関連出願の相互参照：本願は、２０１５年８月５日に出願された米国特許出願第１４／８１９，２８０号の優先権を主張するもので、該出願は、参考としてここにそのまま援用される。
【０００２】
本発明は、一般的に、電子装置に関するもので、より詳細には、ワイヤレス通信回路を伴う電子装置に関する。
【背景技術】
【０００３】
電子装置は、アンテナを伴うワイヤレス回路をしばしば備えている。例えば、セルラー電話、コンピュータ、及び他の装置は、ワイヤレス通信をサポートするためのアンテナをしばしば含む。
【０００４】
望ましい属性を伴う電子装置アンテナ構造を形成することが課題となっている。あるワイヤレス装置では、導電性ハウジング構造体のような導電性構造体が存在すると、アンテナの性能に影響を及ぼす。ハウジング構造体が適切に構成されずそしてアンテナの動作と干渉する場合には、アンテナの性能が満足なものとならない。又、装置のサイズも性能に影響を及ぼす。特に、コンパクトな装置が導電性ハウジング構造体を有するときは、コンパクトな装置に望ましい性能レベルを達成することが困難である。
【発明の概要】
【発明が解決しようとする課題】
【０００５】
それ故、導電性ハウジング構造体を備えた電子装置のような電子装置のための改善されたワイヤレス回路を提供できることが要望される。
【課題を解決するための手段】
【０００６】
電子装置は、アンテナを伴うワイヤレス回路を有する。プラスチックキャリアによって支持された金属構造体からアンテナのためのアンテナ共振素子アームが形成される。このアンテナ共振素子アームは、スイッチング回路を使用してトランシーバに結合される。トランシーバをアンテナに結合する状態又はトランシーバをアンテナから分離する状態のいずれかにスイッチング回路を入れるために制御回路が使用される。アンテナが分離されたときにワイヤレス信号を送信及び受信するために付加的なアンテナがトランシーバにより使用される。
【０００７】
電子装置は、金属ハウジングを有する。スロットが側壁部分のようなハウジングの周囲部分を平坦な後部から分離する。側壁部分及び平坦な後部から付加的なアンテナが形成される。アンテナ及び付加的なアンテナは、異なる通信帯域で動作する。この付加的なアンテナの周波数応答を向上させるためにスロットに寄生的アンテナ共振素子が形成される。アンテナのためのアンテナ共振素子アームは、屈曲部に結合された複数のセグメントを有する。それらセグメントは、スロットに重畳し且つスロットに平行に延びるセグメントを含む。
【図面の簡単な説明】
【０００８】
【図１】一実施形態による規範的電子装置の斜視図である。
【図２】一実施形態による電子装置の規範的回路の回路図である。
【図３】一実施形態による規範的ワイヤレス回路の回路図である。
【図４】一実施形態による規範的逆Ｆ字アンテナの回路図である。
【図５】本発明の一実施形態による規範的スロットアンテナの回路図である。
【図６】一実施形態によりアンテナスロット内に埋め込まれた寄生的アンテナ共振素子アームを含む規範的アンテナ構造体を示す図である。
【図７】一実施形態によりアンテナスロット内に埋め込まれた寄生的アンテナ共振素子アームを含む規範的アンテナ構造体を示す図である。
【図８】一実施形態によりアンテナ性能（定在波比）を動作周波数の関数としてプロットしたグラフである。
【図９】一実施形態によるスイッチ型アンテナを示す図である。
【図１０】一実施形態による図９に示すタイプの規範的アンテナの斜視図である。
【図１１】一実施形態による図１０のアンテナのための金属アンテナ共振素子の斜視図である。
【発明を実施するための形態】
【０００９】
図１の電子装置１０のような電子装置には、ワイヤレス通信回路が設けられる。ワイヤレス通信回路は、複数のワイヤレス通信帯域においてワイヤレス通信をサポートするのに使用される。
【００１０】
ワイヤレス通信回路は、１つ以上のアンテナを含む。ワイヤレス通信回路のアンテナは、ループアンテナ、逆Ｆ字アンテナ、ストリップアンテナ、平坦逆Ｆ字アンテナ、スロットアンテナ、２つ以上の形式のアンテナ構造を含むハイブリッドアンテナ、又は他の適当なアンテナを含む。必要があれば、アンテナのための導電性構造体が導電性電子装置構造体から形成されてもよい。
【００１１】
導電性電子装置構造体は、導電性ハウジング構造体を含む。このハウジング構造体は、電子装置の周囲にわたって延びる周囲導電性構造体のような周囲構造体を含む。周囲導電性構造体は、ディスプレイのような平坦構造体のためのベゼルとして働くか、装置ハウジングのための側壁構造体として働くか、一体的な平坦後部ハウジングから上方に延びる部分を有するか（例えば、垂直の平坦側壁又はカーブした側壁を形成するため）、及び／又は他のハウジング構造体を形成する。
【００１２】
周囲導電性構造体には、周囲導電性構造体を周囲セグメントに分割するギャップが形成される。１つ以上のセグメントは、電子装置１０のための１つ以上のアンテナを形成するのに使用される。又、アンテナは、金属ハウジング中間プレート構造体及び他の内部装置構造体のような導電性ハウジング構造体から形成されたアンテナ接地平面を使用して形成されてもよい。後部ハウジング壁構造体は、アンテナ接地部のようなアンテナ構造体を形成するのに使用されてもよい。
【００１３】
電子装置１０は、ポータブル電子装置又は他の適当な電子装置である。例えば、電子装置１０は、ラップトップコンピュータ、タブレットコンピュータ、若干小型の装置、例えば、腕時計装置、ペンダント装置、ヘッドホン装置、イヤホン装置、或いは他のウェアラブル又は小型装置、ハンドヘルド装置、例えば、セルラー電話、メディアプレーヤ、或いは他の小型ポータブル装置である。又、装置１０は、セットトップボックス、デスクトップコンピュータ、コンピュータ又は他の処理回路が一体化されたディスプレイ、或いは他の適当な電子装置である。
【００１４】
装置１０は、ハウジング１２のようなハウジングを備えている。時々ケースとも称されるハウジング１２は、プラスチック、ガラス、セラミック、繊維組成物、金属（例えば、ステンレススチール、アルミニウム、等）、他の適当な材料、又はこれら材料の組み合わせで形成される。ある状況において、ハウジング１２の部品は、誘電体又は他の低導電率材料から形成される。他の状況において、ハウジング１２、或いはハウジング１２を作り上げる構造体の少なくとも若干は、金属素子から形成される。
【００１５】
装置１０は、必要に応じて、ディスプレイ１４のようなディスプレイを有する。ディスプレイ１４は、装置１０の前面にマウントされる。ディスプレイ１４は、容量性タッチ電極を合体するタッチスクリーンでもよいし、又はタッチに対して不感でもよい。ハウジング１２の後面（即ち、装置１０の前面とは反対の装置１０の面）は、平坦なハウジング壁を有する。後部ハウジング壁は、後部ハウジング壁を完全に貫通するスロットを有し、それ故、ハウジング１２のハウジング壁部分（及び／又は側壁部分）が互いに分離される。ハウジング１２（例えば、後部ハウジング壁、側壁、等）は、ハウジング１２を完全に貫通しない浅い溝も有する。スロット及び溝には、プラスチック又は他の誘電体が充填される。必要に応じて、（例えば、貫通スロットにより）互いに分離されたハウジング１２の部分は、内部導電性構造体（例えば、スロットを橋絡するシートメタル又は他の金属部材）により接合されてもよい。
【００１６】
ディスプレイ１４は、発光ダイオード（ＬＥＤ）、有機ＬＥＤ（ＯＬＥＤ）、プラズマセル、エレクトロウェッティングピクセル、電気泳動ピクセル、液晶ディスプレイ（ＬＣＤ）コンポーネント、又は他の適当な画像ピクセル構造体から形成されたピクセルを含む。透明ガラス又はプラスチックの層のようなディスプレイカバー層がディスプレイ１４の表面を覆うか、又はディスプレイ１４の最も外側の層がカラーフィルタ層、薄膜トランジスタ層、又は他の表示層から形成される。ボタン２４のようなボタンがカバー層の開口を通過する。又、カバー層は、スピーカポート２６の開口のような他の開口も有する。
【００１７】
ハウジング１２は、構造体１６のような周囲ハウジング構造体を含む。構造体１６は、装置１０及びディスプレイ１４の周囲に延びる。装置１０及びディスプレイ１４が４つの縁を伴う長方形である構成において、構造体１６は、対応する４つの縁を伴う長方形リング形状を有する周囲ハウジング構造体を使用して実施される（一例として）。周囲構造体１６又は周囲構造体１６の一部分は、ディスプレイ１４のためのベゼル（例えば、ディスプレイ１４の四辺全体を取り巻き、及び／又はディスプレイ１４を装置１０に保持する上で役立つ化粧飾り）として働く。又、周囲構造体１６は、必要に応じて、装置１０の側壁構造体を形成してもよい（例えば、垂直の側壁、カーブした側壁、等をもつ金属バンドを形成することにより）。
【００１８】
周囲ハウジング構造体１６は、金属のような導電性材料から形成され、それ故、周囲導電性ハウジング構造体、導電性ハウジング構造体、周囲金属構造体、又は周囲導電性ハウジング部材とも称される（一例として）。周囲ハウジング構造体１６は、ステンレススチール、アルミニウム又は他の適当な材料のような金属から形成される。周囲ハウジング構造体１６を形成するのに、１つ、２つ又は３つ以上の個別の構造体を使用できる。
【００１９】
周囲ハウジング構造体１６が均一な断面を有する必要はない。例えば、周囲ハウジング構造体１６の頂部は、必要に応じて、ディスプレイ１４を位置保持する上で役立つ内方突出リップを有する。又、周囲ハウジング構造体１６の底部は、拡大リップも有する（例えば、装置１０の後面の平面に）。周囲ハウジング構造体１６は、実質的にまっすぐな垂直側壁を有するか、カーブした側壁を有するか、又は他の適当な形状を有する。ある構成では（例えば、周囲ハウジング構造体１６がディスプレイ１４のためのベゼルとして働くとき）、周囲ハウジング構造体１６は、ハウジング１２のリップの周りに延びる（即ち、周囲ハウジング構造体１６は、ディスプレイ１４を取り巻くハウジング１２の縁しかカバーせず、ハウジング１２の側壁の残り部分はカバーしない）。
【００２０】
必要に応じて、ハウジング１２は、導電性の後面を有する。例えば、ハウジング１２は、ステンレススチール又はアルミニウムのような金属から形成される。ハウジング１２の後面は、ディスプレイ１４に平行な平面内にある。ハウジング１２の後面が金属で形成される装置１０の構成では、周囲導電性ハウジング構造体１６の部分を、ハウジング１２の後面を形成するハウジング構造体の一体的部分として形成することが望ましい。例えば、装置１０の後部ハウジング壁は、平坦な金属構造体から形成され、そしてハウジング１２の側部にある周囲ハウジング構造体１６の部分は、平坦金属構造体の垂直に延びる平坦な又はカーブした一体的金属部分として形成される。そのようなハウジング構造体は、必要に応じて、金属のブロックから加工されてもよく、及び／又はハウジング１２を形成するように一緒にアッセンブルされる複数の金属断片を含んでもよい。ハウジング１２の平坦な後壁は、１つ以上、２つ以上又は３つ以上の部分を有してもよい。
【００２１】
ディスプレイ１４は、装置１０のユーザに対して画像を表示するアクティブなエリアＡＡを形成するピクセルのアレイを有する。インアクティブなエリアＩＡのようなインアクティブな境界領域は、アクティブなエリアＡＡの１つ以上の周縁に沿って延びる。
【００２２】
ディスプレイ１４は、タッチセンサのための容量性電極のアレイ、ピクセルをアドレスするための導電性ライン、ドライバ回路、等の導電性構造体を含む。ハウジング１２は、金属フレーム部材のような内部導電性構造体、及びハウジング１２の壁に及ぶ平坦な導電性ハウジング部材（中間プレートとも称される）（即ち、部材１６の対向する辺と辺との間に溶接されるか、さもなければ、接続される１つ以上の部品から形成された実質的に長方形のシート）を含む。又、装置１０は、導電性構造体、例えば、プリント回路板、プリント回路板にマウントされたコンポーネント、及び他の内部導電性構造体も備えている。装置１０の接地平面を形成するのに使用されるこれらの導電性構造体は、ハウジング１２の中心に配置され、そしてディスプレイ１４のアクティブなエリアＡＡの下に延びる。
【００２３】
領域２２及び２０において、装置１０の導電性構造体内に開口が形成される（例えば、周囲導電性ハウジング構造体１６と、それに対向する導電性接地構造体、例えば、導電性ハウジング中間プレート又は後部ハウジング壁構造体、プリント回路板、及びディスプレイ１４と装置１０の導電性電気的コンポーネントとの間）。ギャップとも称されるこれらの開口は、空気、プラスチック及び他の誘電体で埋められ、そして装置１０の１つ以上のアンテナのためのスロットアンテナ共振素子を形成するのに使用される。
【００２４】
装置１０の導電性ハウジング構造体及び他の導電性構造体、例えば、中間プレート、プリント回路板上のトレース、ディスプレイ１４、及び導電性電子コンポーネントは、装置１０のアンテナのための接地平面として働く。領域２０及び２２の開口は、開放又は閉止スロットアンテナのスロットとして働くか、ループアンテナの導電性材料経路により取り巻かれた中央誘電体領域として働くか、アンテナ共振素子、例えば、ストリップアンテナ共振素子又は逆Ｆ字型アンテナ共振素子を接地平面から分離するスペースとして働くか、寄生アンテナ共振素子の性能に貢献するか、さもなければ、領域２０及び２２に形成されるアンテナ構造体の一部分として働く。必要に応じて、ディスプレイ１４のアクティブなエリアＡＡの下の接地平面及び／又は装置１０の他の金属構造体は、装置１０の端の部分へと延びる部分を有し（例えば、接地部は、領域２０及び２２の誘電体充填開口に向かって延び）、従って、領域２０及び２２のスロットを狭める。狭いＵ字型開口又は他の開口が装置１０の縁に沿って延びるような装置１０の構成では、装置１０の接地平面は、付加的な電気的コンポーネント（集積回路、センサ、等）を収容するように拡大することができる。
【００２５】
一般的に、装置１０は、適当な数（例えば、１つ以上、２つ以上、３つ以上、４つ以上、等）のアンテナを備えている。装置１０のアンテナは、細長い装置ハウジングの互いに逆の第１及び第２の端（例えば、図１の装置１０の端２０及び２２）に、装置ハウジングの１つ以上の縁に沿って、装置ハウジングの中央部に、他の適当な位置に、又はそのような位置の１つ以上に、配置される。図１の配置は、例示に過ぎない。
【００２６】
周囲ハウジング構造体１６の部分には、周囲ギャップ構造体が設けられる。例えば、周囲導電性ハウジング構造体１６には、図１に示すように、ギャップ１８のような１つ以上のギャップが設けられる。周囲ハウジング構造体１６のギャップには、誘電体、例えば、ポリマー、セラミック、ガラス、空気、他の誘電体材料又はそれら材料の組み合わせが充填される。ギャップ１８は、周囲ハウジング構造体１６を１つ以上の周囲導電性セグメントへと分割する。例えば、周囲ハウジング構造体１６には、２つの周囲導電性セグメントがあり（例えば、２つのギャップ１８を伴う構成）、３つの周囲導電性セグメントがあり（例えば、３つのギャップ１８を伴う構成）、４つの周囲導電性セグメントがあり（例えば、４つのギャップ１８を伴う構成）、等々である。このようにして形成される周囲導電性ハウジング構造体１６のセグメントは、装置１０のアンテナの部分を形成する。
【００２７】
必要に応じて、ハウジング１２を部分的に又は完全に貫通して延びる溝のようなハウジング１２の開口は、ハウジング１２の後壁の巾を横切って延び、そしてハウジング１２の後壁を貫通して、後壁を異なる部分に分割する。又、それらの溝は、周囲ハウジング構造体１６へも延びて、装置１０にアンテナスロット、ギャップ１８、及び他の構造体を形成する。ポリマー又は他の誘電体がそれらの溝及び他のハウジング開口を埋める。ある状況では、アンテナスロット及び他の構造体を形成するハウジング開口には、空気のような誘電体が充填される。
【００２８】
典型的なシナリオにおいて、装置１０は、上部及び下部アンテナを有する（一例として）。上部アンテナは、例えば、領域２２において装置１０の上端に形成される。下部アンテナは、例えば、領域２０において装置１０の下端に形成される。アンテナは、同じ通信帯域、重畳する通信帯域、又は個別の通信帯域をカバーするように別々に使用される。アンテナは、アンテナダイバーシティ構成、又は多入力・多出力（ＭＩＭＯ）アンテナ構成を実施するのに使用される。
【００２９】
装置１０のアンテナは、当該通信帯域をサポートするのに使用される。例えば、装置１０は、ローカルエリアネットワーク通信、ボイス及びデータセルラー電話通信、グローバルポジショニングシステム（ＧＰＳ）通信、又は他の衛星ナビゲーションシステム通信、Ｂｌｕｅｔｏｏｔｈ（登録商標）通信、等をサポートするためのアンテナ構造体を含む。
【００３０】
図２は、図１の装置１０に使用される規範的コンポーネントを示す回路図である。図２に示すように、装置１０は、ストレージ・処理回路２８のような制御回路を備えている。ストレージ・処理回路２８は、ハードディスクドライブストレージ、不揮発性メモリ（例えば、ソリッドステートドライブを形成するように構成されたフラッシュメモリ又は他の電気的にプログラム可能なリードオンリメモリ）、揮発性メモリ（例えば、スタティック又はダイナミックランダムアクセスメモリ）、等のストレージを含む。ストレージ・処理回路２８の処理回路は、装置１０の動作を制御するのに使用される。この処理回路は、１つ以上のマイクロプロセッサ、マイクロコントローラ、デジタル信号プロセッサ、特定用途向け集積回路、等をベースとしている。
【００３１】
ストレージ・処理回路２８は、装置１０のソフトウェア、例えば、インターネットブラウジングアプリケーション、ボイスオーバーインターネットプロトコル（ＶＯＩＰ）電話コールアプリケーション、ｅ−メールアプリケーション、メディアプレイバックアプリケーション、オペレーティングシステムファンクション、等を実行するのに使用される。外部装置との相互作用をサポートするために、ストレージ・処理回路２８は、通信プロトコルの実施に使用される。ストレージ・処理回路２８を使用して実施される通信プロトコルは、インターネットプロトコル、ワイヤレスローカルエリアネットワークプロトコル（例えば、ＩＥＥＥ８０２．１１プロトコル、ＷｉＦｉ（登録商標）とも称される）、他のショートレンジワイヤレス通信リンクのためのプロトコル、例えば、Ｂｌｕｅｔｏｏｔｈ（登録商標）プロトコル、セルラー電話プロトコル、多入力及び多出力（ＭＩＭＯ）プロトコル、アンテナダイバーシティプロトコル、等を含む。
【００３２】
入力／出力回路３０は、入力／出力装置３２を含む。入力／出力装置３２は、データを装置１０へ供給するのを許し、且つデータを装置１０から外部装置へ供給するのを許すために使用される。入力／出力装置３２は、ユーザインターフェイス装置、データポート装置、及び他の入力／出力コンポーネントを含む。例えば、入力／出力装置３２は、タッチセンサ、タッチセンサ能力をもたないディスプレイ、ボタン、ジョイスティック、スクロールホイール、タッチパッド、キーパッド、キーボード、マイクロホン、カメラ、ボタン、スピーカ、状態インジケータ、光源、オーディオジャック及び他のオーディオポートコンポーネント、デジタルデータポート装置、光センサ、位置及び向きセンサ（例えば、加速度計、ジャイロスコープ及びコンパスのようなセンサ）、キャパシタンスセンサ、接近センサ（例えば、容量性接近センサ、光ベースの接近センサ、等）、指紋センサ（例えば、図１のボタン２４のようなボタンと一体化された指紋センサ又はボタン２４に代る指紋センサ）、等を含む。
【００３３】
入力／出力回路３０は、外部装置とワイヤレス通信するためのワイヤレス通信回路３４を備えている。このワイヤレス通信回路３４は、１つ以上の集積回路で形成された高周波（ＲＦ）トランシーバ回路、電力増幅回路、低ノイズ入力増幅器、受動的ＲＦコンポーネント、１つ以上のアンテナ、伝送線、及びＲＦワイヤレス信号を取り扱う他の回路を含む。又、ワイヤレス信号は、光を使用して（例えば、赤外線通信を使用して）送信することもできる。
【００３４】
ワイヤレス通信回路３４は、種々の高周波通信帯域を取り扱うための高周波トランシーバ回路９０を含む。例えば、回路３４は、トランシーバ回路３６、３８及び４２を含む。トランシーバ回路３６は、ＷｉＦｉ（登録商標）（ＩＥＥＥ８０２．１１）通信のために２．４ＧＨｚ及び５ＧＨｚ帯域を取り扱い、そして２．４ＧＨｚのＢｌｕｅｔｏｏｔｈ（登録商標）通信帯域を取り扱う。回路３４は、７００から９６０ＭＨｚの低い通信帯域、９６０から１７１０ＭＨｚの低い中間帯域、１７１０から２１７０ＭＨｚの中間帯域、及び２３００から２７００ＭＨｚの高い帯域、又は７００ＭＨｚないし２７００ＭＨｚの他の通信帯域或いは他の適当な周波数のような周波数範囲のワイヤレス通信を取り扱うためにセルラー電話トランシーバ回路３８を使用する（一例として）。回路３８は、ボイスデータ及び非ボイスデータを取り扱う。ワイヤレス通信回路３４は、必要に応じて、他のショートレンジ及びロングレンジのワイヤレスリンクのための回路を含む。例えば、ワイヤレス通信回路３４は、６０ＧＨｚのトランシーバ回路、テレビ及びラジオ信号を受信するための回路、ページングシステムトランシーバ、近フィールド通信（ＮＦＣ）回路、等を含む。ワイヤレス通信回路３４は、１５７５ＭＨｚのＧＰＳ信号を受信するか又は他の衛星ポジショニングデータを取り扱うためのＧＰＳ受信回路４２のようなグローバルポジショニングシステム（ＧＰＳ）受信装置を備えている。ＷｉＦｉ（登録商標）及びＢｌｕｅｔｏｏｔｈ（登録商標）リンク並びに他のショートレンジワイヤレスリンクでは、数十又は数百フィートにわたりデータを搬送するためにワイヤレス信号が典型的に使用される。セルラー電話リンク及び他のロングレンジリンクでは、数千フィート又はマイルにわたってデータを搬送するためにワイヤレス信号が典型的に使用される。
【００３５】
ワイヤレス通信回路３４は、アンテナ４０を備えている。アンテナ４０は、適当なアンテナ形式を使用して形成される。例えば、アンテナ４０は、ループアンテナ構造、パッチアンテナ構造、逆Ｆ字アンテナ構造、スロットアンテナ構造、平坦逆Ｆ字アンテナ構造、螺旋アンテナ構造、それら設計のハイブリッド、等から形成される共振素子を伴うアンテナを含む。異なる帯域及び帯域の組み合わせに対して異なる形式のアンテナを使用することができる。例えば、ローカルワイヤレスリンクアンテナを形成するのにある形式のアンテナが使用され、そしてリモートワイヤレスリンクアンテナを形成するのに別の形式のアンテナが使用される。
【００３６】
図３に示すように、ワイヤレス回路３４のトランシーバ回路９０は、経路９２のような経路を使用してアンテナ構造体４０に結合される。ワイヤレス回路３４は、制御回路２８に結合される。制御回路２８は、入力／出力装置３２に結合される。入力／出力装置３２は、装置１０からの出力を供給し、そして装置１０の外部のソースから入力を受け取る。
【００３７】
アンテナ４０のようなアンテナ構造体に当該通信周波数をカバーする能力を与えるために、アンテナ４０には、フィルタ回路のような回路（例えば、１つ以上の受動的フィルタ及び／又は１つ以上の同調可能なフィルタ回路）が設けられる。キャパシタ、インダクタ及び抵抗器のような個別コンポーネントがフィルタ回路に合体される。又、パターン化された金属構造体から、容量性構造体、誘導性構造体及び抵抗性構造体も形成される（例えば、アンテナの一部分）。当該通信帯域にわたってアンテナを同調するために、同調可能なコンポーネント１０２のような調整可能な回路が、必要に応じて、アンテナ４０に設けられる。同調可能なコンポーネント１０２は、同調可能なフィルタ又は同調可能なインピーダンスマッチング回路の一部分であるか、アンテナ共振素子の一部分であるか、アンテナ共振素子とアンテナ接地部との間のギャップにわたる、といったものである。同調可能なコンポーネント１０２は、同調可能なインダクタ、同調可能なキャパシタ、又は他の同調可能なコンポーネントを含む。そのような同調可能なコンポーネントは、固定コンポーネントのスイッチ及びネットワーク、関連分布キャパシタンス及びインダクタンスを発生する分布金属構造体、可変キャパシタンス及びインダクタンス値を発生する可変ソリッドステート装置、同調可能なフィルタ、又は他の適当な同調可能な構造体をベースとする。装置１０の動作中に、制御回路２８は、経路１２０のような１つ以上の経路に制御信号を発生し、この制御信号は、同調可能なコンポーネント１０２に関連したインダクタンス値、キャパシタンス値又は他のパラメータを調整し、それにより、望ましい通信帯域をカバーするようにアンテナ構造体を同調させる。
【００３８】
経路９２は、１つ以上の伝送線を含む。例えば、図３の信号経路９２は、線９４のような正の信号導体及び線９６のような接地信号導体を有する伝送線である。線９４及び９６は、同軸ケーブル又はマイクロストリップ伝送線の一部分を形成する（一例として）。インダクタ、抵抗器及びキャパシタのようなコンポーネントで形成されるマッチングネットワークは、アンテナ４０のインピーダンスを伝送線９２のインピーダンスにマッチングさせるのに使用される。マッチングネットワークのコンポーネントは、個別のコンポーネント（例えば、表面取り付け技術のコンポーネント）として設けられてもよいし、ハウジング構造体、プリント回路板構造体、プラスチック支持体上のトレース、等から形成されてもよい。そのようなコンポーネントは、アンテナ４０にフィルタ回路を形成するのにも使用され、そして同調可能な及び／又は固定のコンポーネントである。
【００３９】
伝送線９２は、アンテナ構造体４０に関連したアンテナフィード構造体に結合される。一例として、アンテナ構造体４０は、逆Ｆ字アンテナ、スロットアンテナ、ハイブリッド逆Ｆ字スロットアンテナ、又は端子９８のような正のアンテナフィード端子及び接地アンテナフィード端子１００のような接地アンテナフィード端子を伴うアンテナフィードを有する他のアンテナを形成する。正の伝送線導体９４は、正のアンテナフィード端子９８に結合され、そして接地伝送線導体９６は、接地アンテナフィード端子９２に結合される。必要に応じて、他の形式のアンテナフィード構成体が使用されてもよい。例えば、アンテナ構造体４０は、複数のフィードを使用してフィードされてもよい。図３の規範的フィード構成は、例示に過ぎない。
【００４０】
制御回路２８は、インピーダンス測定回路を使用して、アンテナインピーダンス情報を収集する。制御回路２８は、接近センサ（例えば、図２のセンサ３２）からの情報、受信した信号強度情報、方向センサからの装置方向情報、１つ以上のアンテナインピーダンスセンサからの情報、又は他の情報を使用して、アンテナ４０が近傍の外部物体の存在により影響を受けるとき、又は同調が必要となるときを決定する。それに応答して、制御回路２８は、調整可能なインダクタ、調整可能なキャパシタ、スイッチ、又は他の同調可能なコンポーネント１０２を調整して、アンテナ４０が必要に応じて動作するよう保証する。又、コンポーネント１０２の調整は、アンテナ４０のカバレージを拡張するためにも行われる（例えば、アンテナ４０が同調なしでカバーするより広い周波数範囲にわたって延びる望ましい通信帯域をカバーするために）。
【００４１】
図４は、装置１０のアンテナ４０を実施するのに使用される規範的な逆Ｆ字型アンテナ構造体の図である。図４の逆Ｆ字型アンテナ４０は、アンテナ共振素子１０６及びアンテナ接地部（接地平面）１０４を有する。アンテナ共振素子１０６は、アーム１０８のような主共振素子アームを有する。アーム１０８の長さ及び／又はアーム１０８の部分は、アンテナ４０が望ましい動作周波数で共振するように選択される。例えば、アーム１０８の長さは、アンテナ４０の望ましい動作周波数における波長の１／４である。アンテナ４０は、高調波周波数でも共振を示す。
【００４２】
主共振素子アーム１０８は、戻り路１１０により接地部１０４に結合される。この経路１１０にはインダクタ又は他のコンポーネントが挿入され、及び／又は同調可能なコンポーネント１０２が経路１１０に挿入され、及び／又はアーム１０８と接地部１０４との間で経路１１０に平行に結合される。
【００４３】
アンテナ４０は、１つ以上のアンテナフィードを使用してフィードされる。例えば、アンテナ４０は、アンテナフィード１１２を使用してフィードされる。アンテナフィード１１２は、正のアンテナフィード端子９８及び接地アンテナフィード端子１００を備え、そしてアーム１０８と接地部１０４との間で戻り路１１０に平行に延びる。必要に応じて、図４の規範的アンテナ４０のような逆Ｆ字アンテナは、２つ以上の共振アーム岐路を有するか（例えば、複数の共振帯域での動作をサポートするための複数周波数共振を生成するために）、又は他のアンテナ構造を有する（例えば、寄生アンテナ共振素子、アンテナの同調をサポートするための同調可能なコンポーネント、等）。例えば、アーム１０８は、フィード１１２及び戻り路１１０から外方に延びる左及び右の岐路を有する。アンテナ４０のようなアンテナをフィードするのに複数のフィードが使用されてもよい。
【００４４】
アンテナ４０は、１つ以上のスロットアンテナ共振素子を含むハイブリッドアンテナである。図５に示すように、例えば、アンテナ４０は、アンテナ接地部１０４のような導電性構造体内に形成されたスロット１１４のような開口を有するスロットアンテナ構成に基づくものである。スロット１１４には、空気、プラスチック及び／又は他の誘電体が充填される。スロット１１４の形状は、まっすぐであってもよいし、又は１つ以上の屈曲部を有してもよい（即ち、スロット１１４は、曲がりくねった経路をたどる細長い形状を有する）。アンテナ４０のアンテナフィードは、正のアンテナフィード端子９８及び接地アンテナフィード端子１００を含む。フィード端子９８及び１００は、例えば、スロット１１４の両側（例えば、両長辺）に配置される。図５のスロットアンテナ共振素子１１４のようなスロットベースのアンテナ共振素子は、アンテナ信号の波長がスロットの周囲と等しくなる周波数においてアンテナ共振を生じさせる。狭いスロットでは、スロットアンテナ共振素子の共振周波数は、スロットの長さが波長の半分に等しくなる信号周波数に関連している。スロットアンテナ周波数応答は、同調可能なインダクタ又は同調可能なキャパシタのような１つ以上の同調可能なコンポーネントを使用して同調することができる。これらのコンポーネントは、スロットの両側に結合された端子を有する（即ち、同調可能なコンポーネントは、スロットを橋絡する）。必要に応じて、同調可能なコンポーネントは、スロット１１４の１つの辺の長さに沿った各位置に結合された端子を有する。これらの構成を組み合わせて使用してもよい。
【００４５】
アンテナ４０は、図４及び図５の両方に示す形式の共振素子を含むハイブリッドスロット逆Ｆ字型アンテナである。スロット及び逆Ｆ字アンテナ構造をもつアンテナの規範的構成が図６に示されている。図６に示すように、アンテナ４０（例えば、ハイブリッドスロット逆Ｆ字型アンテナ）は、アンテナフィード１１２に結合されたトランシーバ回路によりフィードされる。必要に応じて、１つ以上の付加的なフィードがアンテナ４０に結合される。アンテナ４０は、周囲導電性構造体１６と接地部１０４との間の細長いギャップから形成されたスロット１１４のようなスロット（例えば、加工ツール又は他の装置を使用してハウジング１２に形成されたスロット）を含む。このスロットには、空気及び／又はプラスチックのような誘電体が充填される。例えば、プラスチックは、ハウジング１２の外面と平らであるスロット１１４の部分に挿入される。
【００４６】
スロット１１４の部分は、アンテナ４０へのスロットアンテナ共振に貢献する。周囲導電性構造体１６は、ギャップ１８−１と１８−２（例えば、周囲導電性構造体１６のギャップ１８）の間に延びる図４のアーム１８のようなアンテナ共振素子アームを形成する。図４の経路１１０のような戻り路は、スロット１１４を橋絡する固定の導電性経路、又はスロット１１４を横切る短絡路を形成するために閉じるスイッチのような調整可能なコンポーネントにより形成される。
【００４７】
アンテナ４０の周波数カバレージを向上させるために、アンテナ４０には、寄生アンテナ共振素子１５８のような寄生アンテナ共振素子が設けられる。又、装置１０は、アンテナ４０の周波数カバレージを向上させるためにアンテナ１５０のような１つ以上の補足的なアンテナも有する。アンテナ１５０は、フィード１１２とは個別のフィードを使用してフィードされる。
【００４８】
コンポーネント１５２、１５４及び１５６のような任意の調整可能なコンポーネントを使用して、アンテナ４０の動作が調整される。コンポーネント１５２、１５４及び１５６は、スイッチ、インダクタ及びキャパシタのような固定コンポーネントに結合されたスイッチ、並びに調整可能な量のキャパシタンス、調整可能な量のインダクタンス、等を与える他の回路を含む。アンテナ４０の調整可能なコンポーネントは、アンテナカバレージを同調するのに使用されるか、ユーザの手又は他の身体部分のような外部物体の存在のために低下したアンテナ性能を回復するのに使用されるか、及び／又は他の動作条件を調整し且つ望ましい周波数において満足な動作を保証するのに使用される。
【００４９】
寄生アンテナ共振素子１５８は、スロット１１４の長さに沿った所与の位置でアンテナ接地部１０４からスロット１１４へと突出する端１６０のような第１の端を有し、そしてスロット１１４内に存在する端１６２のような第２の端を有する。スロット１１４は、細長い形状（例えば、スロット形状）又は他の適当な細長いギャップ形状を有する。図６の例では、スロット１１４は、周囲導電性構造体１６（例えば、ハウジング側壁）と装置１０の後壁の部分（例えば、接地部１０４）との間で装置１０の周囲に沿って延びるＵ字型のものである。この形式の構成では、寄生アンテナ共振素子１５８は、スロット１１４の反対側の周囲導電性構造体１６又は接地部１０４に接触せずに（即ち、素子１５８の縁がスロット１１４を形成する金属ハウジングの内面に接触するのを許すことなく）スロット１１４の長さに沿って端１６０から端１６２へ延びる。
【００５０】
スロット１１４の長さは、約４−２０ｃｍ、２ｃｍ以上、４ｃｍ以上、８ｃｍ以上、１２ｃｍ以上、２５ｃｍ未満、１５ｃｍ未満、１０ｃｍ未満、又は他の適当な長さである。素子１５８は、巾Ｄ３が約０．５ｍｍ（例えば、０．８ｍｍ未満、０．６ｍｍ未満、０．３ｍｍ以上、０．４−０．６ｍｍ、等）、又は他の適当な巾である。スロット１１４は、巾が約２ｍｍ（例えば、４ｍｍ未満、３ｍｍ未満、２ｍｍ未満、１ｍｍ以上、１．５ｍｍ以上、１−３ｍｍ、等）又は他の適当な巾である。素子１５８の長さは、１−１０ｃｍ、２ｃｍ以上、２−７ｃｍ、１−５ｃｍ、１０ｃｍ未満、５ｃｍ未満、又は他の適当な長さである。素子１５８を接地部１０４及び周囲導電性ハウジング構造体１６から分離するスロット１１４の部分は、巾Ｄ２が約０．７５（例えば、０．４ｍｍ以上、０．６ｍｍ以上、０．８ｍｍ未満、１ｍｍ未満、０．３−１．２ｍｍ、等）である。
【００５１】
素子１５８は、望ましい通信帯域で共振し、従って、望ましい通信帯域におけるアンテナ４０の周波数カバレージの向上を与える（例えば、素子１５８は、２３００−２７００ＭＨｚの高い通信帯域又は他の適当な帯域の周波数で共振する）。素子１５８は、プリント回路上の金属構造体、導電性ハウジング構造体の一部分、或いは装置１０の他の導電性構造体から形成される。
【００５２】
図６の例では、スロット１１４は、Ｕ字型である。必要に応じて、スロット１１４は、図７のスロット１１４のまっすぐなスロット形状のような他の形状でもよい。図６に示す形式の構成では、素子１５８の尖端は、装置１０の隅においてスロット１１４の屈曲部を収容するように曲げられる。図７の規範的構成では、素子１５８は、まっすぐで且つ曲がっていない。アンテナ４０の他の構成では、スロット１１４及び素子１５８は、異なる形状でもよい。図６及び７の構成は、例示に過ぎない。
【００５３】
図８は、アンテナ性能（定在波比ＳＷＲ）が図６及び７のアンテナ４０のような規範的アンテナ（寄生的素子１５８及び補足的アンテナ素子１５０を含む）について動作周波数ｆの関数としてプロットされたグラフである。図８に示すように、アンテナ４０は、低い帯域ＬＢ、低い中間帯域ＬＭＢ、中間帯域ＭＢ、及び高い帯域ＨＢにおいて共振を示す。
【００５４】
低い帯域ＬＢは、７００ＭＨｚから９６０ＭＨｚまで延び、又は他の適当な周波数範囲である。周囲導電性構造体１６は、図４のアーム１０８のような逆Ｆ字共振素子アームとして働く。低い帯域ＬＢにおけるアンテナ４０の共振は、図６のコンポーネント１５２とギャップ１８−２との間の周囲導電性構造体１６に沿った距離に関連付けられる。ギャップ１８−２は、周囲導電性ハウジング構造体１６におけるギャップ１８の１つである。図６は、装置１０の後面図であり、従って、図６のギャップ１８−２は、装置１０を前から見たときに装置１０の左縁に存在する。コンポーネント１５２は、逆Ｆ字アンテナ（例えば、構造体１６で形成された共振素子アームを有する逆Ｆ字アンテナ）の戻り路を形成するように閉じられるスイッチを含み、及び／又はアンテナ４０のための他の戻り路構造体が形成されてもよい。
【００５５】
低い中間帯域ＬＭＢは、１４００ＭＨｚから１７１０ＭＨｚまで延び、又は他の適当な周波数範囲である。低い中間帯域ＬＭＢの周波数での通信をサポートするためのアンテナ共振は、単極素子、逆Ｆ字アンテナ素子、又は他のアンテナ素子、例えば、素子１５０に関連している。
【００５６】
中間帯域ＭＢは、１７１０ＭＨｚから２１７０ＭＨｚまで延び、又は他の適当な周波数範囲である。アンテナ４０は、中間帯域ＭＢにおいて第１及び第２の共振を示す。これら中間帯域の共振の第１は、フィード１１２とギャップ１８−２との間の距離に関連している。これら共振の第２は、フィード１１２とコンポーネント１５２（例えば、戻り路を形成するのに使用されるスイッチ）との間の距離に関連している。
【００５７】
高い帯域ＨＢは、２３００ＭＨｚから２７００ＭＨｚまで延び、又は他の適当な周波数範囲である。高い帯域ＨＢにおけるアンテナ性能は、寄生アンテナ共振素子１５８の共振によりサポートされる（例えば、素子１５８の長さは、帯域ＨＢでの動作周波数において１／４波長共振を示す）。
【００５８】
図９は、アンテナ１５０（例えば、逆Ｆ字アンテナ）の規範的なフィード構成を示す図である。図９に示すように、高周波トランシーバ回路９０は、伝送線９２’のような伝送線を使用してアンテナ１５０に結合される。伝送線９２’は、正の信号線９４’及び接地信号線９６’を有する。スイッチング回路２００のようなスイッチング回路がアンテナ１５０とトランシーバ回路９０との間で伝送線９２’に挿入される。フィード１１２’は、正のアンテナフィード端子９８’のような正のアンテナフィード端子と、接地アンテナフィード端子１００’のような接地アンテナフィード端子とを有する。スイッチング回路２００は、スイッチＳ１、Ｓ２及びＳ３のようなスイッチを有する。これらスイッチＳ１、Ｓ２及びＳ３は、制御回路２８からの制御信号により制御される。
【００５９】
図９に示すように、スイッチＳ３は、正のアンテナフィード端子９８’に結合された端子２０６のような第１の端子を有し、そして伝送線９２’の正の信号線９４’に結合された端子２０４のような対応する第２の端子を有する。スイッチＳ１は、接地アンテナフィード端子１００’に結合された端子２１０のような第１の端子を有し、そして伝送線９２の接地信号線９６’に結合された端子２０８のような第２の端子を有する。スイッチＳ２は、端子９８’に結合された端子２１２のような第１の端子を有し、そしてインピーダンスマッチングネットワークＭに結合された端子２１４のような第２の端子を有する。マッチングネットワークＭは、端子２１４と線９６’との間に結合される。
【００６０】
制御回路２８は、スイッチング回路２００を使用して複数の状態でアンテナ１５０を動作する。それらの状態は、アンテナ１５０が装置１０の他のアンテナ構造体から分離される分離モード、アンテナ１５０が自由空間で最適に動作するように構成される自由空間モード、アンテナ１５０がユーザにより保持される間に狭い通信帯域で動作するように構成される狭帯域把持モード、及びアンテナ１５０がユーザにより保持される間に広い通信帯域（例えば、狭い通信帯域より広い帯域）で動作するように構成される広帯域把持モードを含む。自由空間モードでは、アンテナ１５０は、１４００ＭＨｚ（又は他の適当な周波数）で動作するように構成される。ユーザにより使用されるとき、アンテナ１５０の共振は、潜在的に低い周波数へとシフトする。狭帯域把持モード及び広帯域把持モードでは、アンテナ１５０は、望ましい動作周波数で動作するように構成される（即ち、アンテナ１５０の共振は、スイッチＳ１、Ｓ２及びＳ３の構成によりその望ましい周波数へと上方に同調される）。
【００６１】
アンテナ１５０は、スイッチＳ１、Ｓ２及びＳ３を開くことにより分離モードで動作するように構成される。このモードでは、アンテナ１５０は、伝送線９２’から分離され、浮動する。このように分離される間に、アンテナ１５０は、２３００−２７００ＭＨｚ又は他の適当な周波数（例えば、高帯域周波数）において寄生的アンテナ共振素子として働く。アンテナ１５０は、スイッチＳ１及びＳ３を閉じそしてＳ２を開く（マッチング回路Ｍを使用しないように切り換える）ことで自由空間モードに入れられる。狭帯域把持モードでは、スイッチＳ３が閉じられ、そしてスイッチＳ１及びＳ２がターンオフされる。スイッチＳ３が閉じられると、アンテナマッチング回路Ｍが使用状態へ切り換えられ、アンテナ１５０が、ユーザにより把持されたときでも、適切に動作するように保証する。広帯域把持モードでは、スイッチＳ１及びＳ３がターンオンされ、そしてスイッチＳ２が開けられ、狭帯域把持モードより広い帯域巾がアンテナ１５０に与えられる（効率は若干下がるが）。
【００６２】
図１０は、アンテナ１５０の斜視図である。アンテナ１５０は、アンテナ共振素子（例えば、図４のアーム１０８を参照）及びアンテナ接地部１０４を含む逆Ｆ字アンテナである。アンテナ１５０のアンテナ共振素子は、アンテナ共振素子アームセグメント１０８Ａ、１０８Ｂ、１０８Ｃ、１０８Ｄ及び１０８Ｅを有する。共振素子は、図１１に示す形状を有する金属から形成される（一例として）。図１１に示すように、共振素子アームは、３つ以上の直角屈曲部、及び３つ以上又は４つ以上のセグメントを有する。この共振素子は、図１０のプラスチック支持構造体３１０のような誘電体支持構造体によって支持される。
【００６３】
伝送線９２’は、柔軟なプリント回路３００上の信号トレースを使用して実施される。マッチング回路Ｍは、柔軟なプリント回路３００にマウントされたコンポーネント、例えば、コンポーネント３０２によって形成される。コンポーネント３０２のようなコンポーネントは、スイッチング回路２００を形成するのにも使用される。パッド３０４及び３０６は、プリント回路３００の伝送線信号導体及びコンポーネント３０２のマッチングネットワークＭを各アンテナ端子１００’及び９８’に結合できるようにする。アンテナ１５０は、周囲導電性構造体１６から形成されたアンテナ（例えば、アンテナ４０）に電磁結合される。アンテナ１５０の使用中に、構造体１６は、アンテナ１５０の寄生アンテナ共振素子として働いて、アンテナ効率を改善する。
【００６４】
逆Ｆ字アンテナについて述べたが、アンテナ１５０は、任意の適当な形式のアンテナ（パッチ、逆Ｆ字、単極、ループ、スロット、ハイブリッド、等）を使用して実施することができ、且つハウジング１２の部分から形成された導電性構造体、装置１０の内部金属構造体（例えば、内部金属ハウジング部材）、堅牢なプリント回路板又は柔軟なプリント回路のようなプリント回路上の金属トレース、プラスチックキャリア上のレーザパターン化電気メッキトレース、金属ホイル、成形プラスチックキャリア又は他の誘電体支持構造体に埋設されるか又は取り付けられた金属部品、ワイヤ、或いは他の導電性構造体を使用して実施することができる。図１０の構成では、アンテナ１５０のアンテナ構造体は、プラスチックキャリア（キャリア３１０）により支持されるアンテナ共振素子アームを形成する金属構造体（金属トレース、金属ホイル、等）から形成される。アンテナ１５０の金属構造体に対するこの形式の支持構成体は、単なる例示に過ぎない。必要に応じて、アンテナ１５０を形成するのに、他の形式のアンテナ構造体が使用される。
【００６５】
一実施形態によれば、周囲導電性構造体を有するハウジング；周囲導電性構造体から形成された第１の共振素子アームを有し、ハウジングの少なくとも１つの縁に平行に延びるスロットで第１のアンテナ共振素子アームから分離されたアンテナ接地部を有し、且つ第１のアンテナフィードを有する第１のアンテナ；第２の共振素子アーム及びアンテナ接地部から形成され、第２のアンテナフィードを有する第２のアンテナ；第１のアンテナフィードに結合された第１の伝送線；スイッチング回路；及びスイッチング回路により第２のアンテナフィードに結合された第２の伝送線；を備えた電子装置が提供される。
【００６６】
別の実施形態によれば、電子装置は、第２の伝送線がスイッチング回路を経て第２のアンテナのためのアンテナ信号を送信及び受信する自由空間動作モードにスイッチング回路を入れるように構成された制御回路を備えている。
【００６７】
別の実施形態によれば、制御回路は、更に、第２のアンテナが第２の伝送線から電気的に分離される分離動作モードにスイッチング回路を入れるように構成される。
【００６８】
別の実施形態によれば、制御回路は、アンテナがユーザにより把持されたときに望ましい周波数範囲での動作を保証するように同調される少なくとも１つの付加的な動作モードにスイッチング回路を入れるように構成される。
【００６９】
別の実施形態によれば、第２のアンテナは、第２の共振素子アームをサポートするプラスチックキャリアを含む。
【００７０】
別の実施形態によれば、電子装置は、柔軟なプリント回路を備え、第２の伝送線は、その柔軟なプリント回路上の導電性の線を含む。
【００７１】
別の実施形態によれば、電子装置は、寄生的アンテナ共振素子をスロットに含む。
【００７２】
別の実施形態によれば、スイッチ回路は、柔軟なプリント回路にマウントされる。
【００７３】
別の実施形態によれば、第２のアンテナは、同調可能な逆Ｆ字アンテナを含む。
【００７４】
別の実施形態によれば、第２のアンテナは、１４００ＭＨｚの周波数を含む周波数帯域で共振するように構成される。
【００７５】
別の実施形態によれば、第１のアンテナフィードは、第１のアンテナ共振素子アームに結合された第１の正のアンテナフィード端子を有し、そして第２のアンテナフィードは、第２のアンテナ共振素子アームに結合された第２の正のアンテナフィード端子を有する。
【００７６】
別の実施形態によれば、第２のアンテナ共振素子アームは、少なくとも４つのセグメント及び３つの直角屈曲部を有する。
【００７７】
一実施形態によれば、スロットを伴う金属ハウジングを備え、スロットは、金属ハウジングを、第１のアンテナ共振素子アーム及びアンテナ接地部を形成する周囲導電性ハウジング構造体へと分離し、第１のアンテナ共振素子アーム及びアンテナ接地部は、第１のアンテナを形成し、そして第１のアンテナは、スロットにおける寄生的アンテナ共振素子アームを含むものであり；更に、スイッチング回路；及びそのスイッチング回路に結合された第２のアンテナ；を備え、この第２のアンテナは、第２のアンテナ共振素子アーム及びアンテナ接地部を含むものである、電子装置が提供される。
【００７８】
別の実施形態によれば、電子装置は、トランシーバ回路、及びこのトランシーバ回路をスイッチング回路に結合する伝送線を備えている。
【００７９】
別の実施形態によれば、電子装置は、スイッチング回路が伝送線を第２のアンテナに結合する第１の状態、及びスイッチング回路が伝送線を第２のアンテナから分離する第２の状態のうちの選択された一方にスイッチング回路を入れるようにスイッチング回路を調整する制御回路を備えている。
【００８０】
別の実施形態によれば、トランシーバ回路は、スイッチング回路が第２の状態にある間に第１のアンテナでアンテナ信号を送信及び受信するように構成される。
【００８１】
別の実施形態によれば、電子装置は、第２のアンテナ共振素子を支持するプラスチックキャリアを備えている。
【００８２】
別の実施形態によれば、第２のアンテナ共振素子アームは、１４００ＭＨｚの周波数を含む通信帯域で共振するように構成される。
【００８３】
一実施形態によれば、電子装置の縁に沿って延びる側壁部分を有し且つ接地部の一部分を形成する平坦な後壁部分を有する金属ハウジングであって、側壁部分及び平坦な後壁部分はスロットで分離される金属ハウジング；プラスチックキャリア上の金属構造体から形成されるアンテナ共振素子アーム；そのアンテナ共振素子アームに結合されたスイッチング回路；そのスイッチング回路によりアンテナ共振素子アームに結合されるトランシーバ回路；を備え、そのスイッチング回路は、そのスイッチング回路がトランシーバ回路をアンテナ共振素子アームに結合する第１モード、及びそのスイッチング回路がトランシーバ回路線をアンテナ共振素子アームから分離する第２モードにおいて動作できるようにされた電子装置が提供される。
【００８４】
別の実施形態によれば、アンテナ共振素子アームは、通信帯域で動作するアンテナの一部分として働き、電子装置は、更に、スロットの寄生的アンテナ共振素子アームを備え、側壁部分、その寄生的アンテナ共振素子アーム、及び接地部は、通信帯域以外の周波数で動作する付加的なアンテナを形成する。
【００８５】
別の実施形態によれば、アンテナのアンテナ共振素子アームは、スイッチング回路が第２モードで動作する間に通信帯域以外の周波数において付加的なアンテナのための寄生的アンテナ共振素子として働く。
【００８６】
以上の説明は、単なる例示に過ぎず、当業者であれば、ここに述べた実施形態の範囲及び精神から逸脱せずに種々の変更を行うことができるであろう。以上の実施形態は、個々に実施されてもよいし、又は任意の組み合わせで実施されてもよい。
【符号の説明】
【００８７】
１０：電子装置
１２：ハウジング
１４：ディスプレイ
１６：周囲ハウジング構造体
１８：ギャップ
２０、２２：領域
２４：ボタン
２６：スピーカポート
２８：ストレージ・処理回路
３０：入力／出力回路
３２：入力／出力装置
３４：ワイヤレス通信回路
３６、３８：トランシーバ回路
４０：ハイブリッドアンテナ
４２：ＧＰＳ受信回路
９０：トランシーバ回路
９２：伝送線
９４：正の伝送線導体
９６：接地伝送線導体
９８：正のアンテナフィード端子
１００：接地アンテナフィード端子
１０２：同調可能なコンポーネント
１０４：アンテナ接地部（接地平面）
１０６：アンテナ共振素子
１０８：共振素子アーム
１１０：戻り路
１１２：アンテナフィード
１１４：スロット
１５０：補足的アンテナ
１５２、１５４、１５６：調整可能なコンポーネント
１５８：寄生的アンテナ共振素子
１６０、１６２：端
２００：スイッチング回路
３００：柔軟なプリント回路
３０２：コンポーネント
３１０：プラスチック支持構造体
Ｓ１、Ｓ２、Ｓ３：スイッチ
【図１】
2018088700.tif 000003
【図２】
2018088700.tif 000004
【図３】
2018088700.tif 000005
【図４】
2018088700.tif 000006
【図５】
2018088700.tif 000007
【図６】
2018088700.tif 000008
【図７】
2018088700.tif 000009
【図８】
2018088700.tif 000010
【図９】
2018088700.tif 000011
【図１０】
2018088700.tif 000012
【図１１】
2018088700.tif 000013
【外国語明細書】
2018088700000001.pdf